(57)【要約】      （修正有）【課題】電子モニターの取付け高度、角度を自在に調整するができるとともに、モニターのケーブルを隠す機能を有するモニター支持フレームを提供する。【解決手段】本モニター支持フレームは、天井または壁面に垂直に取付けられる支持棒１０と、該支持棒の下端に摺動可能のように設けられた伸縮ロッド２０を備え、伸縮ロッドの末端には９０度に曲げられた水平部２１を有し、該水平部の末端には球形ロッド２２が設けられ、該球形ロッドには自在継手４０が繋がれており、かつ、該自在継手の本体から延伸し、モニターレンズ５０を設置することができる支持ベース４１を有し、上記の支持棒、伸縮ロッド及び自在継手により、前記モニターレンズを、高度調整可能で角度調整自在であるように建物の室内にある各箇所の表面に取付けることができる。【選択図】図１
0003172391.tif 000002
【実用新案登録請求の範囲】
【請求項１】
モニター支持フレームであって、
天井または壁面に垂直に取付けられる支持棒と、
一端は前記支持棒の末端に摺動可能のように嵌め合い、他端は前記支持棒に垂直するように曲げられた水平部を有する伸縮ロッドと、
前記伸縮ロッドの水平部の末端に設けられた球形ロッドと、
該球形ロッドに繋いでおり、その本体から延伸してモニターレンズに取付けられるための支持ベースを有している自在継手と、
を備えており、
前記支持棒、伸縮ロッド及び自在継手により、前記モニターレンズを、高度調整可能で角度調整自在であるように建物の室内にある各箇所の表面に取付けることができることを特徴とするモニター支持フレーム。
【請求項２】
前記支持棒の末端の開口に設けられ、前記伸縮ロッドをロッキングするか緩めることにより、前記伸縮ロッドが該支持ロッドから張り出す長さを調整することができるロッキングリングを、さらに有していることを特徴とする請求項１に記載のモニター支持フレーム。
【請求項３】
前記自在継手と球形ロッドの間にはロッキング素子を有しており、前記ロッキング素子で前記自在継手と球形ロッドを互いに固定して結合させることにより、モニターレンズの角度を固定することができることを特徴とする請求項１又は２に記載のモニター支持フレーム。
【請求項４】
前記伸縮ロッドにはスレッドホールが形成されており、前記スレッドホールにより、前記モニターレンズのケーブルが前記開口から挿入して前記伸縮ロッドと前記支持棒の中心を貫通することができることを特徴とする請求項３に記載のモニター支持フレーム。
【考案の詳細な説明】
【技術分野】
【０００１】
本考案は、モニター支持フレームに関する。特に、モニターレンズを室内の天井または壁面に取り付けることに用いられるモニター支持フレームに関する。
【背景技術】
【０００２】
従来の電子モニターに採用されている取付け用の支持フレームは、数多く、固定式構成が採用されているので、それを室内に取付ける際、高度及び角度の調整は非常に難しいである。しかも、支持フレームの寸法及び構成は固定式であるので、異なる寸法のモニターに合わせて使用する時、あるいは、異なる取付け箇所である場合、異なる形状及び寸法の支持レームを合わせて使用しなければならない。
【０００３】
また、従来の電子モニターの使用には、一つの厄介なことは、画像及び電力を伝送するためのケーブルが常に建物の天井または壁面に露出するので、適宜な隠し、遮蔽をしなければならない。しかしながら、通常、従来のモニター支持フレームはケーブルを隠す機能がないので、モニターのケーブルが外部に露呈され、室内の美観に悪い影響を与えるだけでなく、破壊を受けることも容易に起こる。
【０００４】
上記のことにより、従来のモニター支持フレームの使用の調整は難しくなり、且つ、多種の構成及び異なる寸法仕様の支持フレームを用意しなければならず、異なる寸法のモニターに合わせて使用し、且つ、ケーブルが露呈され美観を破壊する欠点があるので、さらなる改良をする必要がある。
【考案の概要】
【考案が解決しようとする課題】
【０００５】
本考案は、電子モニターの取付けの高度、角度を自在に調整するができるとともに、モニターのケーブルを隠す機能を有するモニター支持フレームを提供することを目的とする。
【課題を解決するための手段】
【０００６】
本考案のモニター支持フレームは、要は、天井または壁面に垂直に取付けられる支持棒を有し、支持棒の末端が摺動可能のように伸縮ロッドに嵌め合い、且つ、該伸縮ロッドをクランピングするか緩めるためのロッキングリングが設けられた。このために、該伸縮ロッドが該支持棒から延在する長さを調整することができる。
【０００７】
前記伸縮ロッドの末端には９０度に曲げられた水平部を有し、該水平部が該支持棒と略垂直しており、該水平部の末端には球形ロッドが設けられ、該球形ロッドには自在継手が繋がれており、且つ、該自在継手の本体から延伸し、モニターレンズを設置することができる支持ベースを有し、該自在継手と球形ロッドの間には、該自在継手と球形ロッドを相互に固定して結合させるロッキング素子が設けられ、これにより、モニターレンズの角度を固定する目的を達成ことができる。
【０００８】
前記支持棒、伸縮ロッド及び自在継手により、前記モニターレンズを高度調整可能で、角度調整自在であるように建物内各箇所の表面に取付けることができる。
【図面の簡単な説明】
【０００９】
【図１】本考案のモニター支持フレームを示す斜視図である。
【図２】本考案のモニター支持フレームを示す側面図である。
【図３】本考案のモニター支持フレームに用いられる自在継手の一部拡大断面図である。
【考案を実施するための形態】
【００１０】
図１及び図２に示すように、本考案のモニター支持フレームは、要は、天井または壁面に垂直に取付けられる支持棒１０を有し、該支持棒１０は中空管状となり、その上端部が固定座１１に繋ぐことができ、該固定座１１により支持棒１０を天井または壁面に繋ぐことができる。支持棒１０の末端が摺動可能であるように伸縮ロッド２０と嵌め合っており、該伸縮ロッド２０の底端には９０度に曲げて該支持棒に略垂直な水平部２１を有し、該水平部２１の末端にはさらに球形ロッド２２が設けられた。さらには、該支持棒１０の底端の開口に設けられたロッキングリング３０を有し、該ロッキングリング３０がねじ山により該支持棒と嵌め合っており、該伸縮ロッド２０をクランピングするか緩めることができるので、該伸縮ロッド２０が該支持棒から延在する長さを調整することができる。
【００１１】
前記球形ロッド２２の末端にはさらに自在継手４０を接合しており、且つ、該自在継手４０の本体から延伸してモニターレンズ５０を設置することができる支持座４１を有している。図３に示すように、該自在継手４０は略円筒状の本体４２を有し、該本体４２が該球形ロッド２２の末端にある球状端部２３の外側を嵌め合って包覆しているので、該球状端部２３を中心として自在に回転することができる。該本体４２のもう一端にはさらにロッキング素子４３が設けられており、該ロッキング素子が該自在継手４０と球形ロッド２２を互いにロッキングさせるように、該球状端部２３の表面にしっかり当接することができる。これにより、モニターレンズ５０の角度を固定することができる。
【００１２】
また、図１及び図３に示すように、前記伸縮ロッド２０の一側面にはスレッドホール(threaded  hole)２４が設けられており、前記モニターレンズ５０のケーブル５１が該スレッドホール２４から挿入して該伸縮ロッド２０及び支持棒１０の中心を貫通することができるので、該モニターレンズ５０のケーブル５１を外部に露呈させなく、該伸縮ロッド２０及び支持棒１０の内部に隠させることができ、モニターを取付けた後の全体外観の美観性を有効に向上させることができる。
【００１３】
図２に示すように、本考案のモニター支持フレームを取付ける時、まず、固定座１１をねじで天井または壁面に繋いだ後、支持棒１０を固定座１１に繋ぐ。そして、ロッキングリング３０を緩めてから、伸縮ロッド２０が張り出す長さを調整することにより、モニターレンズ５０を取付ける高度を変更する。伸縮ロッド２０が張り出す長さを調整した後、ロッキングリング３０をロッキングして伸縮ロッド２０が張り出した長さを固定することができる。この構成により、使用者が前記自在継手４０のロッキング素子４３を緩めてから、該モニターレンズ５０の角度を調整し、その調整を完成してから、該ロッキングリ素子４３をロッキングすることができる。
【００１４】
上記の構成によれば、モニターレンズ５０の取付け高度及び角度を調整することが容易になるので、本考案のモニター支持フレームの使用は非常に柔軟性を有しており、同一仕様の支持フレームと、異なる寸法であって異なる取付け方式のモニターレンズ５０を組み合わせて使用することができるとともに、モニターのケーブルを隠すことができるので、モニターを取付けた後の全体外観の美観性を向上させることができる。
【符号の説明】
【００１５】
１０  支持棒
１１  固定座
２０  伸縮ロッド
２１  水平部
２２  球形ロッド
２３  球状端部
２４  スレッドホール
３０  ロッキングリング
４０  自在継手
４１  支持ベース
４２  本体
４３  ロッキング素子
５０  モニターレンズ
５１ケーブル
【図１】
0003172391.tif 000003
【図２】
0003172391.tif 000004
【図３】
0003172391.tif 000005